(57)【特許請求の範囲】
【請求項１】
装置本体と、
前記装置本体に回転可能に支持される感光ドラムと、
前記感光ドラムが前記装置本体に支持された状態において、前記装置本体に対して、着脱可能に装着される現像カートリッジと、を備え、
前記現像カートリッジは、
前記装置本体に装着された状態において、前記感光ドラムと対向配置され、前記感光ドラムに現像剤を供給するための現像ローラと、現像剤を収容するための現像剤収容部とを備える現像器と、
廃現像剤を収容するための廃現像剤収容部を備え、前記現像器を相対移動可能に収容する筐体と、を備え、
前記筐体は、前記現像ローラに対して前記感光ドラムの反対側に配置され、
前記筐体と前記現像器との間には、前記現像ローラを前記感光ドラムに向けて付勢する付勢部材が設けられることを特徴とする、画像形成装置。
【請求項２】
前記感光ドラムの表面から廃現像剤を除去して回収するドラム回収部と、前記ドラム回収部で回収された廃現像剤を貯留するためのドラム貯留部とを備えるドラム回収ユニットと、
一端部が前記廃現像剤収容部に接続され、他端部が前記ドラム貯留部に接続され、前記ドラム貯留部から前記廃現像剤収容部に廃現像剤を搬送するためのドラム搬送部材と、を備えていることを特徴とする、請求項１に記載の画像形成装置。
【請求項３】
前記ドラム搬送部材は、
一端部が、前記廃現像剤収容部における前記感光ドラムの軸線方向一方側端部に接続され、他端部が、前記ドラム貯留部における前記軸線方向一方側端部に接続されていることを特徴とする、請求項２に記載の画像形成装置。
【請求項４】
前記ドラム搬送部材は、
前記一端部または前記他端部の少なくともいずれか一方に、前記廃現像剤収容部または前記ドラム貯留部の少なくともいずれか一方との接続を解除可能に構成されるドラム分離部を有し、
前記ドラム分離部は、
ドラム開口部と、前記ドラム開口部を開閉可能なドラムシャッタとを有し、
前記ドラム開口部は、
前記前記ドラム分離部と前記廃現像剤収容部または前記ドラム貯留部の少なくともいずれか一方との接続が解除された状態において、前記ドラムシャッタにより閉鎖されることを特徴とする、請求項３に記載の画像形成装置。
【請求項５】
前記感光ドラムと対向配置される無端状のベルトと、
前記ベルト上から廃現像剤を除去して回収するベルト回収部と、前記ベルト回収部で回収された廃現像剤を貯留するためのベルト貯留部とを備えるベルト回収ユニットと、
一端部が前記廃現像剤収容部に接続され、他端部が前記ベルト貯留部に接続され、前記ベルト貯留部から前記廃現像剤収容部に廃現像剤を搬送するためのベルト搬送部材と、を備えることを特徴とする、請求項１〜４のいずれか一項に記載の画像形成装置。
【請求項６】
前記ベルト搬送部材は、
前記一端部または前記他端部の少なくともいずれか一方に、前記廃現像剤収容部または前記ベルト貯留部の少なくともいずれか一方との接続を解除可能に構成されるベルト分離部を有し、
前記ベルト分離部は、
ベルト開口部と、前記ベルト開口部を開閉可能なベルトシャッタとを有し、
前記ベルト開口部は、
前記ベルト分離部と前記廃現像剤収容部または前記ベルト貯留部の少なくともいずれか一方との接続が解除された状態において、前記ベルトシャッタにより閉鎖されることを特徴とする、請求項５に記載の画像形成装置。
【請求項７】
前記感光ドラムと対向配置される無端状のベルトと、
前記ベルト上から廃現像剤を除去して回収するベルト回収部と、前記ベルト回収部で回収された廃現像剤を貯留するためのベルト貯留部とを備えるベルト回収ユニットと、
一端部が前記廃現像剤収容部に接続され、他端部が前記ベルト貯留部に接続され、前記ベルト貯留部から前記廃現像剤収容部に廃現像剤を搬送するためのベルト搬送部材と、を備え、
前記ベルト搬送部材は、
一端部が、前記廃現像剤収容部における前記感光ドラムの軸線方向他方側端部に接続され、他端部が、前記ベルト貯留部における前記軸線方向他方側端部に接続されることを特徴とする、請求項３に記載の画像形成装置。
【請求項８】
前記筐体は、前記現像カートリッジを前記装置本体に対して着脱するための把持部を備えていることを特徴とする、請求項１〜７のいずれか一項に記載の画像形成装置。
【請求項９】
前記感光ドラムは、複数色に対応して複数設けられ、前記感光ドラムの軸線方向と直交する方向に互いに間隔を隔てて並列配置され、
前記現像カートリッジは、前記複数の感光ドラムのそれぞれに対応して、複数設けられ、
前記装置本体には、前記複数の感光ドラムの上側において、前記複数の感光ドラムと対向配置される無端状のベルトが設けられ、
前記現像カートリッジの前記装置本体に対する着脱方向が、前記感光ドラムの軸線方向と同一方向であることを特徴とする、請求項１〜８のいずれか一項に記載の画像形成装置。
【請求項１０】
前記装置本体には、前記現像カートリッジが前記装置本体に対して装着された状態において、前記筐体を、前記装置本体に対して固定する保持部材が設けられていることを特徴とする、請求項１〜９のいずれか一項に記載の画像形成装置。
【請求項１１】
前記保持部材は、前記筐体に対して、前記付勢部材の反対側に配置されていることを特徴とする、請求項１０に記載の画像形成装置。
【請求項１２】
前記保持部材は、前記筐体を下側から支えるように構成され、前記現像カートリッジの前記装置本体に対する着脱をガイドすることを特徴とする、請求項１０または１１に記載の画像形成装置。
【発明の詳細な説明】
【技術分野】
【０００１】
本発明は、電子写真方式が採用される画像形成装置に関する。
【背景技術】
【０００２】
従来から、トナーなどの現像剤により画像を形成する電子写真方式の画像形成装置が知られている。このような画像形成装置では、画像形成の過程において廃トナーが生じる。
【０００３】
そのため、このような廃トナーを処理する方法が種々検討されている。例えば、画像形成装置に対して着脱可能なカートリッジに、未使用のトナーを収容する新トナーボックスと、廃トナーを貯留する廃トナーボックスとを一体的に保持させる方法が知られている。
【０００４】
このような方法によれば、使用者は、廃トナーの処理を意識することなく、廃トナーボックスを交換できる。また、廃トナーボックスの交換頻度が、新トナーボックスの交換頻度と同じになるため、廃トナーボックスの容量を、新トナーボックスの容量に対して一定の比率に構成すればよく、低減することができる。そのため、廃トナーボックスの小型化を図ることができ、それによって、画像形成装置の小型化を図ることができる。
【０００５】
しかるに、カートリッジは、現像ローラおよび新トナーボックスを一体的に備える現像器と、廃トナーボックスとを備えており、カートリッジを画像形成装置に対して着脱するには、現像ローラを、画像形成装置に設けられる感光ドラムに対して相対移動可能に保持する必要がある。
【０００６】
一方、廃トナーボックスは、クリーニング対象物、例えば、感光ドラムやベルトなどから廃トナーを回収する手段に連結されているので、クリーニング対象物に対して相対移動不能に保持する必要がある。
【０００７】
そのため、現像ローラを感光ドラムに対して相対移動可能に保持するためには、現像器を、廃トナーボックスに対して相対移動可能に構成する必要がある。
【０００８】
また、画像形成装置においては、新トナーボックス、現像ローラを備える現像器、感光ドラムなどの消耗品寿命を鑑み、寿命の短い消耗品、例えば、新トナーボックスや現像器（カートリッジ）などと、感光ドラムなどの比較的寿命の長い消耗品とが、それぞれ独立して交換できることが、環境面やランニングコスト低減の面で望ましい。
【０００９】
上記した幾つかの要請を満たす画像形成装置として、装置本体と、装置本体に装着されるイメージングカートリッジとを備える画像形成装置が提案されている（例えば、特許文献１参照）。イメージングカートリッジは、感光体および現像装置を備えるプロセスカートリッジと、プロセスカートリッジに装着されるトナーボックスユニットとを備えている。
【００１０】
この画像形成装置では、トナーボックスユニットが、現像装置に供給する未使用のトナーを収容し、現像側回転軸を備える新トナーボックスと、廃棄トナーを収容する廃トナーボックスとを備え、新トナーボックスの一方側に、現像装置が隣接配置され、新トナーボックスの他方側に、装置本体に設けられる第１押圧機構が配置されている。
【００１１】
そして、そのような画像形成装置では、第１押圧機構が、新トナーボックスの他方側の下側部分を上向きに押圧する。そうすると、新トナーボックスが、現像側回転軸を回転中心として回動され、現像装置を感光体に向けて押圧する。これにより、現像ローラが感光体に接近する方向に押圧される。
【先行技術文献】
【特許文献】
【００１２】
【特許文献１】特開２００９−４８１３８号公報
【発明の概要】
【発明が解決しようとする課題】
【００１３】
しかし、特許文献１に記載の画像形成装置では、第１押圧機構の上向きの押圧力が、新トナーボックスの回動を介して、現像ローラに伝達されるので、現像ローラを感光体に向けて安定して押圧することができず、現像ローラと感光ドラムとの位置決め精度を十分に図れない場合がある。
【００１４】
そこで、本発明の目的は、廃現像剤収容部をコンパクトに収容できながら、現像ローラと感光ドラムとの相対的な位置決め精度の向上を図ることができる画像形成装置を提供することにある。
【課題を解決するための手段】
【００１５】
（１）上記目的を達成するために、本発明の画像形成装置は、装置本体と、装置本体に回転可能に支持される感光ドラムと、感光ドラムが装置本体に支持された状態において、装置本体に対して、着脱可能に装着される現像カートリッジと、を備えている。
【００１６】
現像カートリッジは、装置本体に装着された状態において、感光ドラムと対向配置され、感光ドラムに現像剤を供給するための現像ローラと、現像剤を収容するための現像剤収容部とを備える現像器と、廃現像剤を収容するための廃現像剤収容部を備え、現像器を相対移動可能に収容する筐体と、を備えている。
【００１７】
筐体は、現像ローラに対して感光ドラムの反対側に配置されている。
【００１８】
筐体と現像器との間には、現像ローラを感光ドラムに向けて付勢する付勢部材が設けられている。
【００１９】
このような構成によれば、現像カートリッジは、感光ドラムが装置本体に支持された状態において、装置本体に対して着脱可能であるので、感光ドラムよりも寿命の短い現像カートリッジ（現像器）を、感光ドラムとは独立して交換することができる。
【００２０】
また、現像器を収容する筐体が、現像ローラに対して感光ドラムの反対側に配置され、付勢部材が、筐体と現像器との間に設けられるので、付勢部材が現像器（現像ローラ）を感光ドラムに向けて付勢する方向と、現像ローラと感光ドラムとの対向方向とが、略平行となる。
【００２１】
そのため、付勢部材の付勢力が、現像ローラと感光ドラムとの対向方向に沿って作用するので、現像ローラを感光ドラムに向けて安定して押圧することができ、現像ローラと感光ドラムとの相対的な位置決め精度の向上を図ることができる。
【００２２】
従って、廃現像剤収容部をコンパクトに収容できながら、現像ローラと感光ドラムとの相対的な位置決め精度の向上を図ることができる。
（２）また、感光ドラムの表面から廃現像剤を除去して回収するドラム回収部と、ドラム回収部で回収された廃現像剤を貯留するためのドラム貯留部とを備えるドラム回収ユニットと、一端部が廃現像剤収容部に接続され、他端部がドラム貯留部に接続され、ドラム貯留部から廃現像剤収容部に廃現像剤を搬送するためのドラム搬送部材と、を備えていてもよい。
【００２３】
このような構成によれば、ドラム回収部により、感光ドラムの表面から廃現像剤を除去して、一旦、ドラム貯留部に回収した後、その廃現像剤を廃現像剤収容部に収容することができる。
【００２４】
この場合、廃現像剤収容部は、感光ドラムに対して相対移動不能に構成されるが、現像ローラを備える現像器が、廃現像剤収容部を備えた筐体に対して相対移動可能であるので、現像ローラと感光ドラムとの相対的な位置決め精度の向上を図ることができながら、感光ドラムの表面の廃現像剤を回収・収容できる。
（３）また、ドラム搬送部材は、一端部が、廃現像剤収容部における感光ドラムの軸線方向一方側端部に接続され、他端部が、ドラム貯留部における軸線方向一方側端部に接続されていてもよい。
【００２５】
このような構成によれば、ドラム搬送部材の効率的な配置を確保しつつ、感光ドラムの軸線方向一方側から、ドラム回収部で回収された廃現像剤を廃現像剤収容部に搬送することができる。
（４）また、ドラム搬送部材は、一端部または他端部の少なくともいずれか一方に、廃現像剤収容部またはドラム貯留部の少なくともいずれか一方との接続を解除可能に構成されるドラム分離部を有していてもよい。この場合、ドラム分離部は、ドラム開口部と、ドラム開口部を開閉可能なドラムシャッタとを有し、ドラム開口部は、ドラム分離部と廃現像剤収容部またはドラム貯留部の少なくともいずれか一方との接続が解除された状態において、ドラムシャッタにより閉鎖される。
【００２６】
このような構成によれば、感光ドラムに隣接して配置されるドラム回収ユニットと、筐体に備えられる廃現像剤収容部とを分離できる。そのため、現像カートリッジを、ドラム回収ユニットとは独立して交換することができる。
【００２７】
この場合、ドラム分離部と廃現像剤収容部またはドラム貯留部の少なくともいずれか一方との接続が解除された状態では、ドラム開口部から廃現像剤が漏れ出し、装置本体を汚してしまう場合がある。
【００２８】
この点、ドラム開口部は、ドラム分離部と廃現像剤収容部またはドラム貯留部の少なくともいずれか一方との接続が解除された状態において、ドラムシャッタにより閉鎖されるので、ドラム開口部から廃現像剤が漏れ出すことを抑制できる。
（５）また、感光ドラムと対向配置される無端状のベルトと、ベルト上から廃現像剤を除去して回収するベルト回収部と、ベルト回収部で回収された廃現像剤を貯留するためのベルト貯留部とを備えるベルト回収ユニットと、一端部が廃現像剤収容部に接続され、他端部がベルト貯留部に接続され、ベルト貯留部から廃現像剤収容部に廃現像剤を搬送するためのベルト搬送部材と、を備えていてもよい。
【００２９】
このような構成によれば、ベルト回収部により、ベルト上から廃現像剤を除去して、一旦、ベルト貯留部に回収した後、その廃現像剤を廃現像剤収容部に収容することができる。
【００３０】
この場合、廃現像剤収容部は、無端状のベルトに対して相対移動不能に構成されるが、現像ローラを備える現像器が、廃現像剤収容部を備えた筐体に対して相対移動可能であるので、現像ローラと感光ドラムとの相対的な位置決め精度の向上を図ることができながら、ベルト上の廃現像剤を回収・収容できる。
（６）また、ベルト搬送部材は、一端部または他端部の少なくともいずれか一方に、廃現像剤収容部またはベルト貯留部の少なくともいずれか一方との接続を解除可能に構成されるベルト分離部を有していてもよい。この場合、ベルト分離部は、ベルト開口部と、ベルト開口部を開閉可能なベルトシャッタとを有し、ベルト開口部は、ベルト分離部と廃現像剤収容部またはベルト貯留部の少なくともいずれか一方との接続が解除された状態において、ベルトシャッタにより閉鎖される。
【００３１】
このような構成によれば、ベルトに隣接して配置されるベルト回収ユニットと、筐体に備えられる廃現像剤収容部とを分離できる。そのため、現像カートリッジを、ベルト回収ユニットとは独立して交換することができる。
【００３２】
この場合、ベルト分離部と廃現像剤収容部またはベルト貯留部の少なくともいずれか一方との接続が解除された状態では、ベルト開口部から廃現像剤が漏れ出し、装置本体を汚してしまう場合がある。
【００３３】
この点、ベルト開口部は、ベルト分離部と廃現像剤収容部またはベルト貯留部の少なくともいずれか一方との接続が解除された状態において、ベルトシャッタにより閉鎖されるので、ベルト開口部から廃現像剤が漏れ出すことを抑制できる。
（７）また、感光ドラムと対向配置される無端状のベルトと、ベルト上から廃現像剤を除去して回収するベルト回収部と、ベルト回収部で回収された廃現像剤を貯留するためのベルト貯留部とを備えるベルト回収ユニットと、一端部が廃現像剤収容部に接続され、他端部がベルト貯留部に接続され、ベルト貯留部から廃現像剤収容部に廃現像剤を搬送するためのベルト搬送部材と、を備えていてもよい。この場合、ベルト搬送部材は、一端部が、廃現像剤収容部における感光ドラムの軸線方向他方側端部に接続され、他端部が、ベルト貯留部における軸線方向他方側端部に接続されている。
【００３４】
このような構成によれば、ベルト回収部により、ベルト上から廃現像剤を除去して、一旦、ベルト貯留部に回収した後、その廃現像剤を廃現像剤収容部に収容することができる。
【００３５】
この場合、廃現像剤収容部は、無端状のベルトに対して相対移動不能に構成されるが、現像ローラを備える現像器が、廃現像剤収容部を備えた筐体に対して相対移動可能であるので、現像ローラと感光ドラムとの相対的な位置決め精度の向上を図ることができながら、ベルト上の廃現像剤を回収・収容できる。
【００３６】
また、装置本体内において、ドラム搬送部材が、廃現像剤収容部に対して、感光ドラムの軸線方向一方側に配置され、ベルト搬送部材が、廃現像剤収容部に対して、感光ドラムの軸線方向他方側に配置されている。
【００３７】
そして、ドラム回収ユニットで回収された廃現像剤を感光ドラムの軸線方向一方側から、廃現像剤収容部に搬送することができるとともに、ベルト回収ユニットで回収された廃現像剤を感光ドラムの軸線方向他方側から、廃現像剤収容部に搬送することができる。
【００３８】
そのため、ドラム搬送部材およびベルト搬送部材の効率的な配置を確保することができるとともに、ベルト上から回収した廃現像剤と、感光ドラムの表面から回収した廃現像剤とを、共通の廃現像剤収容部に収容することができる。
【００３９】
その結果、ドラム搬送部材およびベルト搬送部材の効率的な配置を確保できながら、廃現像剤収容部をコンパクトに収容できる。
（８）また、筐体は、現像カートリッジを装置本体に対して着脱するための把持部を備えていてもよい。
【００４０】
このような構成によれば、現像カートリッジの装置本体に対する着脱動作時において、把持部を把持できるので、装置本体に対する現像カートリッジの円滑な着脱動作を確保することができる。
（９）また、感光ドラムは、複数色に対応して複数設けられ、感光ドラムの軸線方向と直交する方向に互いに間隔を隔てて並列配置されていてもよい。
【００４１】
この場合、現像カートリッジは、複数の感光ドラムのそれぞれに対応して、複数設けられ、装置本体には、複数の感光ドラムの上側において、複数の感光ドラムと対向配置される無端状のベルトが設けられる。
【００４２】
また、現像カートリッジの装置本体に対する着脱方向は、感光ドラムの軸線方向と同一方向である。
【００４３】
このような構成によれば、複数の現像器の現像剤収容部に、複数色（例えば、イエロー、マゼンタ、シアン、ブラック）のそれぞれに対応する現像剤を収容させることで、フルカラーの画像を形成することができる。
（１０）また、装置本体には、現像カートリッジが装置本体に対して装着された状態において、筐体を、装置本体に対して固定する保持部材が設けられていてもよい。
【００４４】
このような構成によれば、保持部材により筐体が装置本体に固定されるので、付勢部材と感光ドラムとの相対的な位置関係を、精度よく維持することができる。
【００４５】
そのため、付勢部材は、現像ローラを感光ドラムに向けて、確実に付勢することができる。
【００４６】
その結果、現像ローラと感光ドラムとの相対的な位置決め精度のさらなる向上を図ることができる。
（１１）また、保持部材は、筐体に対して、付勢部材の反対側に配置されていてもよい。
【００４７】
このような構成によれば、付勢部材による付勢力によって筐体に生じる反作用を、付勢部材の反対側に配置される保持部材によって、しっかりと受け止めることができる。
【００４８】
これにより、筐体を確実に装置本体に固定しながら、現像ローラを感光ドラムに対してしっかりと付勢することができる。そのため、現像ローラと感光ドラムとの相対的な位置決め精度のより一層の向上を図ることができる。
（１２）また、保持部材は、筐体を下側から支えるように構成され、現像カートリッジの装置本体に対する着脱をガイドしてもよい。
【００４９】
このような構成によれば、保持部材が筐体を下側から支えるので、現像ローラを感光ドラムに向けて確実に付勢することができる。
【００５０】
また、現像カートリッジの装置本体に対する着脱動作時において、保持部材が現像カートリッジの着脱をガイドするので、現像カートリッジの安定した着脱動作を確保できる。そのため、現像ローラや現像器が、感光ドラムに接触することを抑制できるので、感光ドラムが損傷することを抑制できる。
【発明の効果】
【００５１】
本発明の画像形成装置では、廃現像剤収容部をコンパクトに収容できながら、現像ローラと感光ドラムとの相対的な位置決め精度の向上を図ることができる。
【図面の簡単な説明】
【００５２】
【図１】本発明の画像形成装置の一実施形態としてのカラープリンタを示す断面図である。
【図２】図１に示すカラープリンタのＡ−Ａ断面図である。
【図３】図１に示す現像カートリッジと感光ドラムとを示す断面図である。
【図４】図１に示すドラムユニットであって、（ａ）は、ドラムユニットの断面図を示し、（ｂ）は、ドラムユニットの正面図を示す。
【図５】図４（ａ）に示すドラムユニットのＢ−Ｂ断面図であって、（ａ）は、ドラムユニット側シャッタが閉位置に配置されている状態を示し、（ｂ）は、ドラムユニット側シャッタが開位置に配置されている状態を示す。
【図６】図１に示す現像カートリッジが、本体ケーシングから引き出された状態を示す。
【図７】図１に示す現像カートリッジの右面図であって、（ａ）は、ブラック現像カートリッジの右面図を示し、（ｂ）は、現像器を除いた状態におけるブラック現像カートリッジの右面図を示し、（ｃ）は、現像器を除いた状態における他の現像カートリッジ（イエロー現像カートリッジ、マゼンタ現像カートリッジおよびシアン現像カートリッジ）の右面図を示す。
【図８】図１に示す現像カートリッジの背面図であって、（ａ）は、ブラック現像カートリッジの背面図を示し、（ｂ）は、他の現像カートリッジ（イエロー現像カートリッジ、マゼンタ現像カートリッジおよびシアン現像カートリッジ）の背面図を示す。
【発明を実施するための形態】
【００５３】
１．カラープリンタの全体構成
図１に示すように、画像形成装置の一例としてのカラープリンタ１は、横置きタイプの中間転写型カラープリンタである。
【００５４】
また、カラープリンタ１は、装置本体の一例としての本体ケーシング２と、本体ケーシング２の上側に設けられ、原稿の画像情報を読み取るフラットベッドスキャナ３とを一体的に備える複合機である。
【００５５】
カラープリンタ１は、本体ケーシング２内において、用紙Ｐを給紙するための給紙部４と、給紙された用紙Ｐに画像を形成するための画像形成部５とを備えている。
（１）本体ケーシング
本体ケーシング２は、図１および図２に示すように、給紙部４および画像形成部５を収容するボックス形状に形成されている。本体ケーシング２の一方側壁には、本体開口部８が形成されており、フロントカバー６が、その下端部を支点として、本体開口部８を閉鎖する閉位置（図２参照）と、本体開口部８を開放する開位置（図６参照）とに揺動（移動）可能に設けられている。
【００５６】
なお、以下の説明において、フロントカバー６が設けられる側（図２における紙面左側）を前側とし、その反対側（図２における紙面右側）を後側とする。また、カラープリンタ１を前側から見たときを左右の基準とする。
【００５７】
すなわち、図１において、紙面左側が左側であり、紙面右側が右側である。また、紙面手前側が前側であり、紙面奥側が後側である。
（２）給紙部
給紙部４は、用紙Ｐを収容する給紙トレイ７を備えている。給紙トレイ７は、本体ケーシング２内の底部に着脱自在に装着されている。
【００５８】
給紙トレイ７に収容されている用紙Ｐは、ピックアップローラ９の回転により、給紙ローラ１０と給紙パッド１１との間に送られ、給紙ローラ１０の回転により１枚ずつ捌かれる。その後、捌かれた用紙Ｐは、給紙ローラ１０の回転により、給紙ローラ１０と各ピンチローラ１２との間を順次通過するように、上方の両レジストローラ１３間に向けて給紙され、レジストローラ１３の回転により、所定のタイミングで、画像形成部５（中間転写ベルト３８（後述）と二次転写ローラ３５（後述）との間）に供給される。
（３）画像形成部
画像形成部５は、給紙部４の上側に配置されており、プロセスユニット１４、転写ユニット１８および定着ユニット１９を備えている。
（３−１）プロセスユニット
プロセスユニット１４は、給紙トレイ７の上側に配置され、ドラムユニット１５と、現像カートリッジ１６と、複数（４つ）のＬＥＤユニット１７とを備えている。
（３−１−１）ドラムユニット
ドラムユニット１５は、プロセスユニット１４の上端部に配置されており、感光ドラム２１と、帯電ローラ２２と、ドラム回収ユニットの一例としてのドラムクリーナー２３とを一体的に保持している。
【００５９】
感光ドラム２１は、複数色（ブラック、イエロー、マゼンタ、シアン）に対応して、複数（４つ）設けられ、左右方向に互いに間隔を隔てて並列配置されている。
【００６０】
帯電ローラ２２は、４つの感光ドラム２１の各々に対応して設けられ、対応する感光ドラム２１の右下側において、感光ドラム２１と対向して接触するように配置されている。
【００６１】
ドラムクリーナー２３は、４つの感光ドラム２１の各々に対応して設けられ、対応する感光ドラム２１の右側に配置されている。
（３−１−２）現像カートリッジ
現像カートリッジ１６は、複数（４つ）感光ドラムのそれぞれに対応して、複数（４つ）設けられ、本体ケーシング２に対して、前後方向に引き出し可能に装着されている。
【００６２】
複数の現像カートリッジ１６の各々は、対応する感光ドラム２１の下側に配置されており、左右方向に互いに間隔を隔てて並列配置されている。
【００６３】
具体的には、左側から右側に向かって、ブラック現像カートリッジ１６Ｋ、イエロー現像カートリッジ１６Ｙ、マゼンタ現像カートリッジ１６Ｍおよびシアン現像カートリッジ１６Ｃが、順次配置されている。
【００６４】
また、現像カートリッジ１６は、詳しくは後述するが、現像器２４と、筐体の一例としてのカートリッジフレーム２５とを備えている。
【００６５】
現像器２４は、カートリッジフレーム２５内に収容され、現像ローラ２６を備えている。
【００６６】
現像ローラ２６は、現像器２４の上端において、上側（右上側）から露出されるように回転可能に支持されており、感光ドラム２１に対して左下側から接触されている。
【００６７】
なお、現像器２４は、現像ローラ２６にトナーを供給する供給ローラ２７、現像ローラ２６に供給されたトナーの厚みを規制する層厚規制ブレード２８を備えている。また、現像器２４は、供給ローラ２７の下側において、各色（ブラック、イエロー、マゼンタ、シアン）に対応する現像剤の一例としてのトナーを収容する、現像剤収容部の一例としてのトナー収容部２９を備えている。
（３−１−３）ＬＥＤユニット
複数のＬＥＤユニット１７の各々は、対応する感光ドラム２１に下方から対向するように、本体ケーシング２に支持されている。ＬＥＤユニット１７は、所定の画像データに基づいて、対応する感光ドラム２１の表面を露光する。
（３−２）転写ユニット
転写ユニット１８は、プロセスユニット１４の上方に配置され、ベルトユニット３４と二次転写ローラ３５とを備えている。
【００６８】
ベルトユニット３４は、４つの感光ドラム２１の各々に上側から対向するように、左右方向に沿って配置されている。
【００６９】
ベルトユニット３４は、駆動ローラ３６、従動ローラ３７、無端状のベルトの一例としての中間転写ベルト３８、複数（４つ）の一次転写ローラ３９、および、ベルト回収ユニットの一例としてのベルトクリーナー４０を備えている。
【００７０】
駆動ローラ３６および従動ローラ３７は、互いに左右方向に間隔を隔てて対向配置されている。
【００７１】
中間転写ベルト３８は、その下側部分が４つの感光ドラム２１の各々に対向接触されるように、感光ドラム２１の上方に配置され、駆動ローラ３６および従動ローラ３７の周りに掛け渡されている。また、中間転写ベルト３８は、駆動ローラ３６の駆動および従動ローラ３７の従動により、感光ドラム２１と接触する下側部分が左側から右側に向かって移動するように、周回移動されている。
【００７２】
複数の一次転写ローラ３９の各々は、対応する感光ドラム２１と、中間転写ベルト３８の下側部分を挟んで対向するように設けられている。
【００７３】
ベルトクリーナー４０は、中間転写ベルト３８の左端部上側に配置されており、詳しくは後述するが、ベルトクリーニングローラ７２と、対向ローラ７３とを備えている。
【００７４】
ベルトクリーニングローラ７２は、対向ローラ７３と、中間転写ベルト３８を挟んで上下方向に対向するように、中間転写ベルト３８の上側に設けられている。
【００７５】
二次転写ローラ３５は、駆動ローラ３６と、中間転写ベルト３８を挟んで対向するように、ベルトユニット３４の右方に設けられている。
（３−３）定着ユニット
定着ユニット１９は、二次転写ローラ３５の左上方に配置され、加熱ローラ４１、および、加熱ローラ４１に対して右上側から圧接される加圧ローラ４２を備えている。
（３−４）画像形成動作
（３−４−１）現像動作
現像器２４内のトナーは、供給ローラ２７に供給され、さらに、現像ローラ２６に供給される。
【００７６】
現像ローラ２６に供給されたトナーは、現像ローラ２６の回転に伴って、層厚規制ブレード２８によって厚さが規制され、一定厚さの薄層として現像ローラ２６の表面に担持される。
【００７７】
一方、感光ドラム２１の表面は、感光ドラム２１の回転に伴って、帯電ローラ２２により一様に正帯電された後、ＬＥＤユニット１７により露光される。これにより、用紙Ｐに形成すべき画像に対応した静電潜像が感光ドラム２１の表面に形成される。
【００７８】
感光ドラム２１がさらに回転すると、現像ローラ２６の表面に担持されるトナーが、感光ドラム２１の表面に形成されている静電潜像に供給される。これにより、感光ドラム２１の静電潜像は可視像化され、感光ドラム２１の表面には、反転現像によるトナー像が担持される。
（３−４−２）転写・定着動作
感光ドラム２１の表面に担持されたトナー像は、左側から右側へ移動される中間転写ベルト３８の下側部分に順次、一次転写される。これにより、中間転写ベルト３８にカラー画像が形成される。
【００７９】
中間転写ベルト３８に形成されたカラー画像は、中間転写ベルト３８が二次転写ローラ３５との対向位置を通過する間に、給紙部４から供給される用紙Ｐに、二次転写される。
【００８０】
そして、用紙Ｐに転写されたカラー画像は、定着ユニット１９において、用紙Ｐが加熱ローラ４１と加圧ローラ４２との間を通過する間に、加熱および加圧されることによって用紙Ｐに熱定着される。
（４）排紙
定着ユニット１９においてトナー像を定着された用紙Ｐは、排紙ローラ４４によって、本体ケーシング２の上面に形成される排紙トレイ４５上に排紙される。
（５）フラットベッドスキャナ
フラットベッドスキャナ３は、排紙トレイ４５の上方に設けられている。フラットベッドスキャナ３では、原稿が押えカバー４７とガラス面４８との間に配置された後、ＣＣＤセンサ４９がスライドすることにより、原稿の画像情報が読み取られる。
【００８１】
そして、読み取られた原稿の画像情報に基づいて、画像形成部５において、上記したように、用紙Ｐに画像を形成することができる。
２．本体ケーシングの詳細
本体ケーシング２は、図２に示すように、カラープリンタ１の外形を構成する外側ケーシング８０と、外側ケーシング８０の内側に設けられる内側ケーシング８１とを備えている。
【００８２】
外側ケーシング８０は、側面視略矩形状の略ボックス形状に形成されており、前端部において、フロントカバー６を備えている。
【００８３】
内側ケーシング８１は、側面視略矩形状の略ボックス形状に形成されている。また、内側ケーシング８１は、給紙部４（図１参照）および画像形成部５を収容可能な上下方向長さおよび左右方向長さを有し、後側において外側ケーシング８０と間隔を隔てるように、外側ケーシング８０内に収容されている。
【００８４】
また、内側ケーシング８１の内部空間は、隔壁１１１により区画されている。
【００８５】
隔壁１１１は、略平板形状に形成され、上下方向における給紙トレイ７と現像カートリッジ１６との間に設けられ、内側ケーシング８１の内部空間を、上側のカートリッジ収容空間１１５と下側の給紙トレイ収容空間１１６とに区画している。
【００８６】
また、隔壁１１１の上面には、保持部材２０が設けられている。
【００８７】
保持部材２０は、図１および図２に示すように、４つの現像カートリッジの各々に対応するように、４つ設けられている。
【００８８】
保持部材２０は、図２に示すように、正面視略Ｕ字形状かつ前後方向に延びる略トレイ状に形成され、上方、前方および後方が開放されている。保持部材２０は、その内面が、カートリッジフレーム２５（後述）の下端部の外形に沿うように形成され、その内寸（左右方向長さおよび前後方向長さ）が、カートリッジフレーム２５（後述）外寸（左右方向長さおよび前後方向長さ）と略同じ長さに形成されている。
【００８９】
詳しくは、保持部材２０は、その左壁の上下方向長さが、右壁の上下方向長さよりも長く形成されており、左壁と下壁との連結部分における内側面が、廃トナー収容部３１の下端部の外形に沿う正面視略円弧形状に形成されている。
３．ドラムユニットの詳細
（１）ドラムフレーム
ドラムユニット１５は、前後方向に間隔を隔てて対向配置される１対のドラムフレーム５１を備えている。
【００９０】
ドラムフレーム５１は、図４に示すように、左右方向に長手の略平板形状に形成され、その下側部分には、カートリッジ溝５２が形成されている。
【００９１】
カートリッジ溝５２は、前後方向に投影したときに、現像カートリッジ１６の現像器２４の上端部と重なる部分が、切り欠かれて形成されている。
【００９２】
具体的には、ブラック現像カートリッジ１６Ｋに対応するカートリッジ溝５２は、ドラムフレーム５１の左端縁における上下方向中央から右方へ向かって延びた後、右方に向かうに従って下方に傾斜するように、切り欠かれて形成されている。
【００９３】
また、その他の現像カートリッジ１６Ｙ、Ｍ、Ｃ（イエロー現像カートリッジ１６Ｙ、マゼンタ現像カートリッジ１６Ｍおよびシアン現像カートリッジ１６Ｃ）に対応するカートリッジ溝５２は、ドラムフレーム５１の下端縁から上方に向かって切り欠かれるように、下方に向かって開放された略Ｕ字形状に形成されている。
【００９４】
また、１対のドラムフレーム５１のうち、前側のドラムフレーム５１には、複数（４つ）の挿通口５３が、複数のドラムユニット側受入筒５６（後述）に対応するように、互いに左右方向に間隔を隔てて形成されている。
【００９５】
挿通口５３は、前後方向に投影したときに、ドラムユニット側受入筒５６（後述）と重なる部分に形成されており、ドラムフレーム５１を前後方向に貫通する正面視略円形状に形成されている。挿通口５３の穴径は、パイプ側シャッタ１０１（後述）の外径よりも僅かに大径に形成されている。
【００９６】
また、１対のドラムフレーム５１間において、感光ドラム２１と、帯電ローラ２２と、ドラムクリーナー２３とが支持されている。
【００９７】
感光ドラム２１は、図５に示すように、前後方向に延びる略円筒形状に形成されており、その前後両端部が、それぞれドラムフレーム５１に回転可能に支持されている。
【００９８】
帯電ローラ２２は、前後方向に延びる略円筒形状に形成されており、その前後両端部が、それぞれドラムフレーム５１（後述）に回転可能に支持されている。
（２）ドラムクリーナー
ドラムクリーナー２３は、図４に示すように、ドラム貯留部５４と、ドラム回収部の一例としてのドラム掻き取りブレード５５とを備えている。
【００９９】
ドラム貯留部５４は、図４および図５に示すように、上下方向に長手の正面視略矩形状に形成され、前後方向に延びる略ボックス形状に形成されている。また、ドラム貯留部５４の下壁は、第１オーガスクリュー５８（後述）の回転軌跡に沿うように、下方に向かって膨出する正面視略半円弧形状に形成されている。
【０１００】
ドラム貯留部５４には、左壁に開口部５７が形成され（図４参照）、下壁にドラム廃トナー排出口６２が形成されている（図５参照）。
【０１０１】
開口部５７は、図４に示すように、ドラム貯留部５４の左壁において、左右方向に貫通形成されている。
【０１０２】
ドラム廃トナー排出口６２は、図５に示すように、ドラム貯留部５４の下壁における前端部において、ドラム貯留部５４とドラムユニット側受入筒５６（後述）とを連通させるように、上下方向に貫通形成されている。
【０１０３】
また、ドラム貯留部５４内には、第１オーガスクリュー５８が設けられている。
【０１０４】
第１オーガスクリュー５８は、前後方向に延びるように形成され、ドラム貯留部５４の下壁に沿って配置されている（図４参照）。第１オーガスクリュー５８は、その前端部において、ドラム貯留部５４の前壁に回転可能に支持され、その後端部において、ドラム貯留部５４の後壁に回転可能に支持されている。
【０１０５】
また、ドラム貯留部５４には、前側固定部５９と、後側固定部６０と、ドラムユニット側受入筒５６とが一体的に設けられている。
【０１０６】
前側固定部５９は、正面視略矩形状の略ボックス形状に形成されており、ドラム貯留部５４の前壁に設けられている。前側固定部５９の上下方向長さは、ドラム貯留部５４の上下方向長さよりも短く形成されている。
【０１０７】
後側固定部６０は、正面視略矩形状の略ボックス形状に形成されており、ドラム貯留部５４の後壁に設けられている。後側固定部６０の上下方向長さは、ドラム貯留部５４の上下方向長さと略同じ長さに形成されている。
【０１０８】
ドラムユニット側受入筒５６は、前後方向に延び、後端部が閉鎖された略円筒形状に形成されており、その上側部分において、ドラム貯留部５４における下壁の前端部に連続されている。また、ドラムユニット側受入筒５６の内径は、ドラム側挿入部９９（後述）の外径と略同径に形成されている。
【０１０９】
また、ドラムユニット側受入筒５６は、ドラムユニット側シャッタ６３を備えている。
【０１１０】
ドラムユニット側シャッタ６３は、前端部が閉鎖された略円筒形状に形成されており、ドラムユニット側受入筒５６内に収容されている。ドラムユニット側シャッタ６３の外径は、ドラムユニット側受入筒５６の内径と略同径に形成されている。そして、ドラムユニット側シャッタ６３は、ドラムユニット側受入筒５６内において、ドラム廃トナー排出口６２を開放するようにドラムユニット側受入筒５６の後端部に配置される開位置（図５（ｂ）参照）と、ドラム廃トナー排出口６２を閉鎖するようにドラムユニット側受入筒５６の前端部に配置される閉位置（図５（ａ）参照）とにスライド可能に設けられている。
【０１１１】
そして、ドラムユニット側受入筒５６の後壁とドラムユニット側シャッタ６３の前壁との間には、圧縮ばね６４が介在されており、圧縮ばね６４によって、ドラムユニット側シャッタ６３は、常には、前側へ向かって付勢され、閉位置に配置されている。
【０１１２】
ドラム掻き取りブレード５５は、図４に示すように、上下方向に延びる略平板形状に形成され、その上端部（遊端部）が感光ドラム２１に右側から接触されるように、その下端部（基端部）が、ドラム貯留部５４の左壁における開口部５７の左側周縁部に固定されている。
【０１１３】
そして、ドラムクリーナー２３は、図５に示すように、前側固定部５９の前端部が前側のドラムフレーム５１に、後側固定部６０の後端部が後側のドラムフレーム５１に固定されることにより、ドラムフレーム５１に保持されている。
３．ベルトユニットの詳細
（１）ベルトクリーナー
ベルトクリーナー４０は、図２に示すように、ベルトクリーナーフレーム５０を備えている。
【０１１４】
ベルトクリーナーフレーム５０は、上方に向かって開放される側面視略コ字状に形成され、前後方向に間隔を隔てて対向配置される１対の側壁６６と、１対の側壁６６の下端部間を架設する被覆壁６７とを備えている。
【０１１５】
側壁６６は、図１に示すように、左右方向に長手の略平板形状に形成されている。
【０１１６】
１対の側壁６６間において、ベルト回収部６５と、ベルト貯留部６８とが保持されている。
【０１１７】
ベルト回収部６５は、ベルトクリーニングローラ７２および中継ローラ７４を備えている。
【０１１８】
ベルトクリーニングローラ７２は、前後方向に延びる略円筒形状に形成され、その前後両端部が、それぞれ１対の側壁６６に回転可能に支持されている。なお、被覆壁６７は、ベルトクリーニングローラ７２の下側部分を露出させるように切り欠かれており、ベルトクリーニングローラ７２は、対向ローラ７３と、中間転写ベルト３８を挟んで上下方向に対向するように配置されている。
【０１１９】
中継ローラ７４は、ベルトクリーニングローラ７２に左側から接触するように、ベルトクリーニングローラ７２の左側に配置されている。また、中継ローラ７４は、前後方向に延びる略円筒形状に形成されており、その前後両端部が、それぞれ１対の側壁６６に回転可能に支持されている。
【０１２０】
ベルト貯留部６８は、前後方向に延び、その前後両端部が、それぞれ１対の側壁６６により閉鎖される略ボックス形状に形成されている。
【０１２１】
また、ベルト貯留部６８には、右壁における下側部分に、開口部６９が左右方向に貫通形成されている。
【０１２２】
また、ベルト貯留部６８内には、第２オーガスクリュー７１が設けられている。
【０１２３】
第２オーガスクリュー７１は、図６に示すように、前後方向に延びるように形成され、その前端部が、前側の側壁６６に回転可能に支持され、その後端部が、後側の側壁６６に回転可能に支持されている。
【０１２４】
また、ベルト貯留部６８には、図１に示すように、掻き取りブレード７５が設けられている。
【０１２５】
掻き取りブレード７５は、上下方向に延びる略平板形状に形成され、その下端部（遊端部）が中継ローラ７４に左側から接触されるように、その上端部（基端部）が、ベルト貯留部６８の右壁における開口部６９の右側周縁部に固定されている。
【０１２６】
また、ベルト貯留部６８には、ベルト搬送部材の一例としてのベルト廃トナー搬送パイプ７０が連結されている。
【０１２７】
ベルト廃トナー搬送パイプ７０は、図６に示すように、略パイプ状に形成されており、その内部には、略コイルばね形状のスクリュー８２が収容されている。
【０１２８】
また、ベルト廃トナー搬送パイプ７０は、上下両端部が前側に屈曲する側面視略コ字状に形成され、ベルト側連結部７６と、途中部７７と、ベルト分離部の一例としてのカートリッジ側挿入部７８とから一体形成されている。
【０１２９】
ベルト側連結部７６は、ベルト廃トナー搬送パイプ７０の上端部であり、前後方向に延び、その前端部が、第２オーガスクリュー７１と中心軸線を共有するとともに、ベルト貯留部６８内に連通されるように、後側の側壁６６に固定され、その後端部が、内側ケーシング８１の後壁を貫通するように延びている。
【０１３０】
途中部７７は、ベルト側連結部７６の後端部から下方に向かって屈曲し、詳しくは、図１に示すように、途中部７７は、ベルト側連結部７６の後端部から左方に向かうに従って下方に傾斜した後、屈曲して、下方へ向かって延びている。また、途中部７７は、図６に示すように、外側ケーシング８０の後壁と内側ケーシング８１の後壁との間に配置されている。
【０１３１】
カートリッジ側挿入部７８は、ベルト廃トナー搬送パイプ７０の下端部であり、途中部７７の下端部から前方に向かって屈曲し、内側ケーシング８１の後壁を貫通するように延びている。
【０１３２】
また、カートリッジ側挿入部７８には、ベルト開口部の一例としてのベルト廃トナー排出口７９が形成されている。
【０１３３】
ベルト廃トナー排出口７９は、カートリッジ側挿入部７８の下側部分における前端部において、上下方向に貫通形成されている。
【０１３４】
また、カートリッジ側挿入部７８は、ベルトシャッタの一例としての搬送パイプ側シャッタ８３を備えている。
【０１３５】
搬送パイプ側シャッタ８３は、前後方向に延びる略円筒形状に形成され、カートリッジ側挿入部７８に外側から嵌合している。また、搬送パイプ側シャッタ８３の内径は、カートリッジ側挿入部７８の外径と略同径（僅かに大径）に形成されている。そして、搬送パイプ側シャッタ８３は、ベルト廃トナー排出口７９を開放するようにカートリッジ側挿入部７８の後端部に配置される開位置（図２参照）と、ベルト廃トナー排出口７９を閉鎖するようにカートリッジ側挿入部７８の前端部に配置される閉位置（図６参照）とにスライド可能に設けられている。つまり、搬送パイプ側シャッタ８３は、ベルト廃トナー排出口７９を開閉可能である。
【０１３６】
そして、搬送パイプ側シャッタ８３の後端部と内側ケーシング８１の後壁との間には、圧縮ばね８４が介在されており、圧縮ばね８４によって、搬送パイプ側シャッタ８３は、常には、前側へ向かって付勢され、閉位置に配置されている。
４．現像カートリッジの詳細
（１）現像フレーム
カートリッジフレーム２５は、図１に示すように、正面視略矩形状に形成され、その右側部分が現像器収容部３２として区画され、その左側部分が、廃現像剤収容部の一例としての廃トナー収容部３１として区画されている。
（１−１）現像器収容部
現像器収容部３２は、図７（ａ）に示すように、現像器２４を収容可能な前後方向長さに形成されている。また、現像器収容部３２は、図７（ｂ）に示すように、上方に向かって開放される略コ字形状に形成され、前後方向に間隔を隔てて対向配置される前壁１０５および後壁１０６と、それらの下端部間に架設される下壁１０４とを備えている。
【０１３７】
前壁１０５および後壁１０６は、図８に示すように、背面視略矩形状の略平板形状に形成されている。
【０１３８】
前壁１０５および後壁１０６の各々には、ガイド穴１０７が形成されている。
【０１３９】
ガイド穴１０７は、現像器２４のボス８８（後述）に対応する部分に形成され、上下方向に間隔を隔てて２つ形成されている。
【０１４０】
ガイド穴１０７は、背面視略楕円状に形成され、感光ドラム２１と現像ローラ２６との対向方向Ｘ（後述）に沿って延びるように形成されている。ガイド穴１０７は、その長径が、対応するボス８８（後述）の外径に対して、略１．５倍の長さに形成され、その短径が、対応するボス８８（後述）の外径と略同径に形成されている。
【０１４１】
また、前壁１０５には、現像カートリッジ１６を本体ケーシング２に対して着脱するための把持部１２０が形成されている。
【０１４２】
把持部１２０は、前壁１０５の前面における下端部から前方に向かって延びる側面視略矩形状に形成されている。
【０１４３】
下壁１０４には、図３に示すように、ばね支持部１０８が設けられている。
【０１４４】
ばね支持部１０８は、前後方向に延びる正面視略三角形状に形成されている。
【０１４５】
ばね支持部１０８は、下壁１０４の左端部に設けられ、現像器２４が現像器収容部３２に収容された状態において、トナー収容部２９の外側面と対向する上面が、湾曲面１１０として形成されている。湾曲面１１０は、左方に向かうに従って上方に湾曲する正面視略円弧形状に形成されている。
【０１４６】
また、ばね支持部１０８には、付勢部材の一例としてのコイルばね１０９が設けられている。
【０１４７】
コイルばね１０９は、図７（ｂ）に示すように、空心コイル状に形成され、その軸線方向が、感光ドラム２１と現像ローラ２６との対向方向Ｘ（後述）と略平行となるように（図３参照）、湾曲面１１０の前後両端部にそれぞれ固定されている。
【０１４８】
また、現像器収容部３２には、図７（ａ）に示すように、現像器２４が収容されている。
【０１４９】
現像器２４は、前後方向に延びる中空筒形状に形成され（図１参照）、その前端部が前壁８６に、その後端部が後壁８７により、それぞれ閉鎖されている。
【０１５０】
なお、本実施形態では、前壁８６および後壁８７に関する構成は、それぞれ同様である。そこで、以下の説明において、後壁８７を詳細に説明し、前壁８６についての説明を省略する。
【０１５１】
後壁８７には、ボス８８が設けられている。
【０１５２】
ボス８８は、図７（ａ）および図８（ａ）に示すように、後壁８７から後方に向かって突出する略円筒形状に形成され、後壁８７の左側部分において、上下方向に間隔を隔てて２つ設けられている。また、上側のボス８８は、図８（ａ）に示すように、下側のボス８８よりも、大径に形成されている。
【０１５３】
そして、現像器２４は、図７（ａ）に示すように、ボス８８が対応するガイド穴１０７に内側から挿通されるように、現像器収容部３２内に収容されている。
【０１５４】
これにより、現像器２４は、ボス８８が対応するガイド穴１０７に案内されることにより、感光ドラム２１と現像ローラ２６との対向方向Ｘ（後述）に沿って、相対移動可能に現像器収容部３２に収容されている。
【０１５５】
また、図３に示すように、コイルばね１０９は、ばね支持部１０８と、現像器２４のトナー収容部２９の外側面との間に配置されている。
（１−２）廃トナー収容部
廃トナー収容部３１は、図１に示すように、上下方向に長手の正面視略矩形状の略ボックス形状に形成され、現像器収容部３２の左端部に連結されている。
【０１５６】
廃トナー収容部３１内には、図７（ｂ）および図７（ｃ）に示すように、第３オーガスクリュー８９を備えている。
【０１５７】
第３オーガスクリュー８９は、前後方向に延び、廃トナー収容部３１の上側部分に配置されており（図１参照）、その前端部において、廃トナー収容部３１の前壁に回転可能に支持され、その後端部において、廃トナー収容部３１の後壁に回転可能に支持されている。また、第３オーガスクリュー８９の後端部は、廃トナー収容部３１の後壁を貫通しており、その貫通部分には、カップリング９５が相対回転不能に保持されている。
【０１５８】
なお、図７（ｂ）に示すように、ブラック現像カートリッジ１６Ｋにおける第３オーガスクリュー８９は、前側半分と後側半分とで、螺旋状の巻き方向が逆となるように形成されている。一方、その他の現像カートリッジ１６Ｙ、Ｍ、Ｃ（イエロー現像カートリッジ１６Ｙ、マゼンタ現像カートリッジ１６Ｍおよびシアン現像カートリッジ１６Ｃ）における第３オーガスクリュー８９は、螺旋状の巻き方向が同一方向となるように形成されている。
【０１５９】
また、ブラック現像カートリッジ１６Ｋにおける廃トナー収容部３１（以下、廃トナー収容部３１Ｋとする。）は、図７（ｂ）に示すように、挿入口１１２と、カートリッジ側受入筒９０とを有している。
【０１６０】
挿入口１１２は、廃トナー収容部３１Ｋの後壁における上端部において、前後方向に貫通形成されている。挿入口１１２の穴径は、カートリッジ側挿入部７８の外径と略同径（僅かに大径）に形成されている。
【０１６１】
カートリッジ側受入筒９０は、挿入口１１２の周端部から前方に向かって延びる略円筒形状に形成され、その前端部が閉鎖されている。つまり、カートリッジ側受入筒９０は、廃トナー収容部３１Ｋ内に配置されている。
【０１６２】
また、カートリッジ側受入筒９０には、その下側部分に、ベルト廃トナー受入口９２が形成されている。
【０１６３】
ベルト廃トナー受入口９２は、カートリッジ側受入筒９０の下側部分の後端部において、廃トナー収容部３１Ｋとカートリッジ側受入筒９０とを連通するように、上下方向に貫通形成されている。
【０１６４】
また、カートリッジ側受入筒９０は、カートリッジ側シャッタ９１を備えている。
【０１６５】
カートリッジ側シャッタ９１は、後端部が閉鎖された前後方向に延びる略円筒形状に形成されており、カートリッジ側受入筒９０内に収容されている。カートリッジ側シャッタ９１の外径は、カートリッジ側受入筒９０の内径と略同径に形成されている。そして、カートリッジ側シャッタ９１は、カートリッジ側受入筒９０内において、ベルト廃トナー受入口９２を開放するようにカートリッジ側受入筒９０の前端部に配置される開位置（図２参照）と、ベルト廃トナー受入口９２を閉鎖するようにカートリッジ側受入筒９０の後端部に配置される閉位置（図７（ｂ）参照）とにスライド可能に設けられている。
【０１６６】
そして、カートリッジ側受入筒９０の前壁とカートリッジ側シャッタ９１の後壁との間には、圧縮ばね９３が介在されており、圧縮ばね９３によって、カートリッジ側シャッタ９１は、常には、後側へ向かって付勢され、閉位置に配置されている。
【０１６７】
また、廃トナー収容部３１には、ドラム搬送部材の一例としてのドラム廃トナー搬送パイプ９６が連結されている。
【０１６８】
ドラム廃トナー搬送パイプ９６は、図７に示すように、略パイプ状に形成されており、その内部には、略コイルばね形状のスクリュー９４が収容されている（図１参照）。
【０１６９】
また、ドラム廃トナー搬送パイプ９６は、図７（ｂ）に示すように、前後両端部が後側に向かって屈曲する平面視略コ字状に形成され、収容部側連結部９７と、途中部９８と、ドラム分離部の一例としてのドラム側挿入部９９とから一体形成されている。
【０１７０】
収容部側連結部９７は、ドラム廃トナー搬送パイプ９６の左端部であり、前後方向に延び、その後端部が、第３オーガスクリュー８９と中心軸線を共有するとともに、廃トナー収容部３１内に連通されるように、廃トナー収容部３１の前壁に固定されている。
【０１７１】
途中部９８は、収容部側連結部９７の前端部から右方に向かって屈曲し、右方に向かうに従って上方に傾斜するように延びている（図１参照）。
【０１７２】
ドラム側挿入部９９は、途中部９８の右端部から後方に向かって屈曲して延びている。
【０１７３】
ドラム側挿入部９９には、ドラム開口部の一例としてのドラム廃トナー受入口１００が形成されている。
【０１７４】
ドラム廃トナー受入口１００は、ドラム側挿入部９９の上側部分における後端部において、上下方向に貫通形成されている。
【０１７５】
また、ドラム側挿入部９９は、鍔部１０２と、ドラムシャッタの一例としてのパイプ側シャッタ１０１とを備えている。
【０１７６】
鍔部１０２は、ドラム側挿入部９９の前側部分の外周面に設けられ、ドラム側挿入部９９の径方向外方へ広がる円環板状に形成されている。
【０１７７】
パイプ側シャッタ１０１は、前後方向に延びる略円筒形状に形成され、ドラム側挿入部９９に外側から嵌合されている。また、パイプ側シャッタ１０１の内径は、ドラム側挿入部９９の外径と略同径（僅かに大径）に形成されている。そして、パイプ側シャッタ１０１は、ドラム廃トナー受入口１００を開放するようにドラム側挿入部９９の前端部に配置される開位置（図５（ｂ）参照）と、ドラム廃トナー受入口１００を閉鎖するようにドラム側挿入部９９の後端部に配置される閉位置（図７（ｂ）参照）とにスライド可能に設けられている。つまり、パイプ側シャッタ１０１は、ドラム廃トナー受入口１００を開閉可能である。
【０１７８】
そして、パイプ側シャッタ１０１の前端部と鍔部１０２の前側面との間には、圧縮ばね１０３が介在されており、圧縮ばね１０３によって、パイプ側シャッタ１０１は、常には、後側へ向かって付勢され、閉位置に配置されている。
５．本体ケーシングに対する現像カートリッジの着脱動作
次に、本体ケーシング２に対する現像カートリッジ１６の着脱動作について説明する。
【０１７９】
現像カートリッジ１６を本体ケーシング２に対して装着するには、図６に示すように、まず、フロントカバー６を開位置に位置させて、カートリッジ収容空間１１５に向かって、把持部１２０を把持して、現像カートリッジ１６を前側から挿入する。
【０１８０】
そうすると、現像カートリッジ１６のカートリッジフレーム２５の下端部が、保持部材２０に対して前側から挿入される。つまり、保持部材２０は、カートリッジフレーム２５を下側から支えるように配置されており、現像カートリッジ１６は、保持部材２０にガイドされて、前後方向に沿って移動される。このとき、現像器２４は、対応するカートリッジ溝５２を通過する。
【０１８１】
さらに、現像カートリッジ１６を、本体ケーシング２に対して、後方に移動させると、図５（ｂ）に示すように、パイプ側シャッタ１０１が挿通口５３を前側から通過し、パイプ側シャッタ１０１の後端部における上側部分が、ドラム貯留部５４の前端部下側と当接されるとともに、ドラム側挿入部９９の後端部がドラムユニット側シャッタ６３の前端部と当接される。
【０１８２】
そして、現像カートリッジ１６がさらに後方へ移動されると、パイプ側シャッタ１０１は、ドラム貯留部５４により、圧縮ばね１０３の付勢力に抗して、前方へ押圧されて、開位置に配置される。
【０１８３】
このとき、ドラム側挿入部９９は、ドラム廃トナー排出口６２とドラム廃トナー受入口１００とが上下方向に対向する位置まで、ドラムユニット側受入筒５６内に挿入される。
【０１８４】
これにより、パイプ側シャッタ１０１およびドラムユニット側シャッタ６３が開位置に配置されるとともに、ドラム廃トナー排出口６２とドラム廃トナー受入口１００とが上下方向に対向され、互いに連通される。
【０１８５】
つまり、ドラム廃トナー搬送パイプ９６は、図１に示すように、左端部（収容部側連結部９７の後端部）が、廃トナー収容部３１の前端部に接続され、右端部（ドラム側挿入部９９の後端部）が、ドラム貯留部５４の前端部に接続されている。
【０１８６】
さらに、図２に示すように、ブラック現像カートリッジ１６Ｋが、カートリッジ収容空間１１５に前側から挿入されると、後壁１０６における挿入口１１２の周端部が、搬送パイプ側シャッタ８３の前端部に前側から当接されるとともに、カートリッジ側シャッタ９１の後端部が、カートリッジ側挿入部７８の前端部と当接される（図６および図７（ｂ）参照）。
【０１８７】
そして、ブラック現像カートリッジ１６Ｋがさらに後方へ移動されると、挿入口１１２の周端部は、圧縮ばね８４の付勢力に抗して、搬送パイプ側シャッタ８３を後方へ押圧して、搬送パイプ側シャッタ８３を開位置に配置させる。
【０１８８】
このとき、カートリッジ側挿入部７８は、ベルト廃トナー排出口７９とベルト廃トナー受入口９２とが上下方向に対向する位置まで、カートリッジ側受入筒９０内に挿入される。
【０１８９】
これにより、搬送パイプ側シャッタ８３およびカートリッジ側シャッタ９１が開位置に配置されるとともに、ベルト廃トナー排出口７９とベルト廃トナー受入口９２とが上下方向に対向され、互いに連通される。
【０１９０】
つまり、ベルト廃トナー搬送パイプ７０は、図１に示すように、左端部（カートリッジ側挿入部７８の前端部）が、廃トナー収容部３１の後端部に接続され、右端部（ベルト側連結部７６の後端部）が、ベルト貯留部６８の後端部に接続されている（図２参照）。
【０１９１】
以上によって、現像カートリッジ１６の本体ケーシング２（カートリッジ収容空間１１５）に対する装着が完了する。
【０１９２】
このとき、現像カートリッジ１６の現像ローラ２６は、図３に示すように、ドラムユニット１５の感光ドラム２１に対して左下側から接触される。すなわち、現像ローラ２６と感光ドラム２１とは、対向方向Ｘにおいて対向接触されている。
【０１９３】
また、現像器収容部３２のばね支持部１０８は、カートリッジフレーム２５の下壁１０４の左端部に設けられており、現像ローラ２６に対して感光ドラム２１の反対側に配置されている。
【０１９４】
また、コイルばね１０９は、軸線方向が対向方向Ｘに略平行となるように、ばね支持部１０８の湾曲面１１０とトナー収容部２９との間に配置されているので、現像器２４を付勢方向Ｙに沿って付勢することにより、現像ローラ２６を感光ドラム２１に向けて付勢している。
【０１９５】
また、保持部材２０は、カートリッジフレーム２５の下側部分を収容しており、カートリッジフレーム２５（ばね支持部１０８）に対して、コイルばね１０９の反対側に配置されている。これにより、保持部材２０は、内側ケーシング８１に対して、カートリッジフレーム２５を固定している。
【０１９６】
なお、現像カートリッジ１６を本体ケーシング２（カートリッジ収容空間１１５）から離脱させるには、上記した装着動作と逆の手順に操作する。
【０１９７】
そうすると、現像カートリッジ１６が、図６に示すように、保持部材２０にガイドされて、カートリッジ収容空間１１５から前側に引き出される。
【０１９８】
つまり、現像カートリッジ１６の本体ケーシング２に対する着脱方向と、感光ドラム２１の軸線方向とは同一方向（前後方向）であり、保持部材２０は、現像カートリッジ１６の本体ケーシング２に対する着脱をガイドしている。
【０１９９】
このとき、ドラム廃トナー搬送パイプ９６のドラム側挿入部９９と、ドラム貯留部５４（図５（ｂ）参照）との接続が解除され、ベルト廃トナー搬送パイプ７０のカートリッジ側挿入部７８と、ブラック現像カートリッジ１６Ｋの廃トナー収容部３１Ｋ（図７（ｂ）参照）との接続が解除されている。
【０２００】
すなわち、ドラム側挿入部９９は、ドラム貯留部５４（図５（ｂ）参照）との接続が解除可能に構成され、カートリッジ側挿入部７８は、廃トナー収容部３１Ｋ（図７（ｂ）参照）との接続が解除可能に構成されている。
【０２０１】
そして、パイプ側シャッタ１０１は、圧縮ばね１０３によって、閉位置に配置され（図７（ａ）参照）、搬送パイプ側シャッタ８３は、圧縮ばね８４によって、閉位置に配置されている。
【０２０２】
つまり、ドラム廃トナー受入口１００は、図７（ａ）に示すように、ドラム側挿入部９９とドラム貯留部５４（図５（ｂ）参照）との接続が解除された状態において、パイプ側シャッタ１０１により閉鎖されている。また、ベルト廃トナー排出口７９は、図６に示すように、カートリッジ側挿入部７８と廃トナー収容部３１Ｋ（図７（ｂ）参照）との接続が解除された状態において、搬送パイプ側シャッタ８３により閉鎖されている。
【０２０３】
以上によって、現像カートリッジ１６の本体ケーシング２（カートリッジ収容空間１１５）に対する着脱が完了する。
【０２０４】
つまり、現像カートリッジ１６は、上記したように、感光ドラム２１が本体ケーシング２内に収容された状態において、本体ケーシング２に対して着脱される。
６．廃トナーの回収・収容動作（クリーニング動作）
カラープリンタ１の画像形成動作が開始されると、本体ケーシング２内の図示しない駆動源（モータ）からの駆動力により、第１オーガスクリュー５８、第２オーガスクリュー７１、第３オーガスクリュー８９、ドラム廃トナー搬送パイプ９６内のスクリュー９４、および、ベルト廃トナー搬送パイプ７０内のスクリュー８２が回転する。
【０２０５】
そして、カラープリンタ１の画像形成動作において、上記したように、感光ドラム２１の表面に担持されたトナー像は、左側から右側へ移動される中間転写ベルト３８の下側部分に順次、一次転写される。
【０２０６】
このとき、中間転写ベルト３８の下側部分に一次転写された後、感光ドラム２１の表面には、転写残トナー（廃トナー）が用紙Ｐに転写されずに残存している。
【０２０７】
感光ドラム２１が回転すると、感光ドラム２１の廃トナーが、ドラム掻き取りブレード５５により掻き取られ、開口部５７を介して、ドラム貯留部５４内に落下する。
【０２０８】
つまり、ドラム掻き取りブレード５５は、感光ドラム２１の表面から廃トナーを除去して、ドラム貯留部５４内に回収する。
【０２０９】
その後、ドラム貯留部５４内に落下した廃トナー（ドラム掻き取りブレード５５に回収された廃トナー）は、図５に示すように、ドラム貯留部５４内に貯留されるとともに、第１オーガスクリュー５８の回転により、ベルト貯留部６８内を前方に向けて搬送される。そして、ベルト貯留部６８の前端部に到達した廃トナーは、ドラム廃トナー排出口６２から、重力により、ドラム廃トナー受入口１００を介して、ドラム側挿入部９９内に落下する。
【０２１０】
ドラム側挿入部９９内に落下した廃トナーは、スクリュー９４の回転により、ドラム側挿入部９９から途中部９８を経て収容部側連結部９７へと搬送される。
【０２１１】
そして、収容部側連結部９７内に搬送された廃トナーは、第３オーガスクリュー８９の回転により、廃トナー収容部３１内に搬送される。
【０２１２】
すなわち、ドラム廃トナー搬送パイプ９６は、ドラム貯留部５４から廃トナー収容部３１に廃トナーを搬送する。
【０２１３】
その後、ブラック現像カートリッジ１６Ｋの廃トナー収容部３１Ｋ内に搬送された廃トナーは、第３オーガスクリュー８９の回転により、後方に向けて搬送され、廃トナー収容部３１Ｋの前後方向中央部分に収容される。
【０２１４】
一方、その他の現像カートリッジ１６Ｙ、Ｍ、Ｃの廃トナー収容部３１内に搬送された廃トナーは、第３オーガスクリュー８９の回転により、後方に向けて搬送され、廃トナー収容部３１の後側部分に収容される。
【０２１５】
次いで、中間転写ベルト３８に形成されたカラー画像は、上記したように、中間転写ベルト３８が二次転写ローラ３５との対向位置を通過する間に、給紙部４から供給される用紙Ｐに、二次転写される。
【０２１６】
このとき、用紙Ｐへカラー画像が二次転写された後、中間転写ベルト３８の上には、転写残トナー（廃トナー）が残存している。中間転写ベルト３８の周回移動により、廃トナーがベルトクリーニングローラ７２に対向すると、中間転写ベルト３８の上からベルトクリーニングローラ７２の周面に廃トナーが回収される。これにより、中間転写ベルト３８の上から廃トナーが除去される。
【０２１７】
その後、ベルトクリーニングローラ７２の回転に伴なって、ベルトクリーニングローラ７２の周面に担持された廃トナーが中継ローラ７４に対向すると、ベルトクリーニングローラ７２の周面から中継ローラ７４の周面に廃トナーが付着する。
【０２１８】
そして、中継ローラ７４が回転すると、中継ローラ７４の周面の廃トナーが掻き取りブレード７５により掻き取られ、ベルト貯留部６８内に落下する。
【０２１９】
その後、ベルト貯留部６８内に落下した廃トナーは、図６に示すように、ベルト貯留部６８内に貯留されるとともに、第２オーガスクリュー７１の回転により、ベルト貯留部６８内を後方に向けて搬送され、ベルト貯留部６８からベルト廃トナー搬送パイプ７０に送られる。
【０２２０】
ベルト廃トナー搬送パイプ７０内に送られた廃トナーは、スクリュー８２により、ベルト側連結部７６から途中部７７を経てカートリッジ側挿入部７８へと搬送される。
【０２２１】
そして、カートリッジ側挿入部７８内に搬送された廃トナーは、ベルト廃トナー排出口７９から、重力により、ベルト廃トナー受入口９２を介して、廃トナー収容部３１Ｋ（ブラック現像カートリッジ１６Ｋの廃トナー収容部３１）内に落下する。
【０２２２】
その後、廃トナー収容部３１Ｋ内に落下した廃トナーは、第３オーガスクリュー８９の回転により、前方に向けて搬送され、廃トナー収容部３１Ｋの前後方向中央部分に収容される。
【０２２３】
すなわち、ベルト廃トナー搬送パイプ７０は、ベルト貯留部６８から廃トナー収容部３１に廃トナーを搬送する。
【０２２４】
以上によって、カラープリンタ１のクリーニング動作が完了する。
７．作用効果
（１）カラープリンタ１では、図６に示すように、現像カートリッジ１６は、感光ドラム２１が本体ケーシング２内に収容された状態において、本体ケーシング２のカートリッジ収容空間１１５に対して着脱可能である。そのため、感光ドラム２１よりも寿命の短い現像カートリッジ１６を、感光ドラム２１とは独立して交換することができる。
【０２２５】
また、図３に示すように、現像カートリッジ１６が本体ケーシング２のカートリッジ収容空間１１５に収容された状態において、カートリッジフレーム２５のばね支持部１０８が、現像ローラ２６に対して感光ドラム２１の反対側に配置されている。また、現像ローラ２６を備える現像器２４が、廃トナー収容部３１を備えたカートリッジフレーム２５に対して相対移動可能に収容されている。
【０２２６】
そして、ばね支持部１０８の湾曲面１１０には、その前後両端部において、コイルばね１０９が設けられている。
【０２２７】
コイルばね１０９は、軸線方向が対向方向Ｘと平行となるように、湾曲面１１０と現像器２４のトナー収容部２９の外側面との間に配置されている。
【０２２８】
そのため、コイルばね１０９が現像器２４（現像ローラ２６）を、感光ドラム２１に向けて付勢する付勢方向Ｙと、現像ローラ２６と感光ドラム２１との対向方向Ｘとが、略平行となる。
【０２２９】
その結果、コイルばね１０９の付勢力が、現像ローラ２６と感光ドラム２１との対向方向Ｘに沿って作用するので、現像ローラ２６を感光ドラム２１に向けて安定して押圧することができ、現像ローラ２６と感光ドラム２１との相対的な位置決め精度の向上を図ることができる。
【０２３０】
従って、廃トナー収容部３１をコンパクトに収容できながら、現像ローラ２６と感光ドラム２１との相対的な位置決め精度の向上を図ることができる。
（２）また、ドラムユニット１５は、図１に示すように、ドラムクリーナー２３を備えている。ドラムクリーナー２３は、図４に示すように、ドラム掻き取りブレード５５と、ドラム貯留部５４とを備えている。
【０２３１】
そのため、カラープリンタ１の画像形成動作において、一次転写された後、感光ドラム２１の表面に残存する廃トナーを、ドラム掻き取りブレード５５により、感光ドラム２１の表面から除去して、一旦、ドラム貯留部５４に回収することができる。
【０２３２】
そして、ドラム貯留部５４のドラムユニット側受入筒５６には、図５（ｂ）に示すように、ドラム廃トナー搬送パイプ９６が接続されているので、ドラム貯留部５４に回収した廃トナーを、ドラム廃トナー搬送パイプ９６を介して、ドラム貯留部５４から廃トナー収容部３１に搬送し、廃トナー収容部３１に収容することができる。
【０２３３】
その結果、現像ローラ２６と感光ドラム２１との相対的な位置決め精度の向上を図ることができながら、感光ドラム２１の表面の廃トナーを回収・収容できる。
（３）また、ドラム廃トナー搬送パイプ９６は、図１に示すように、左端部（収容部側連結部９７の後端部）が、廃トナー収容部３１の前端部に接続され、右端部（ドラム側挿入部９９の後端部）が、ドラム貯留部５４の前端部に接続されている。
【０２３４】
そのため、ドラム廃トナー搬送パイプ９６の効率的な配置を確保しつつ、本体ケーシング２内における前側から、ドラム掻き取りブレード５５で回収された廃トナーを廃トナー収容部３１に搬送することができる。
【０２３５】
また、ドラム廃トナー搬送パイプ９６が、現像器収容部３２の前壁１０５の前面に固定されているので、ドラムユニット１５が本体ケーシング２内に収容された状態において、現像カートリッジ１６の本体ケーシング２に対する円滑な着脱を確保できる。
（４）また、ドラム廃トナー搬送パイプ９６は、図７（ａ）に示すように、ドラム側挿入部９９を有している。ドラム側挿入部９９は、ドラム廃トナー受入口１００と、パイプ側シャッタ１０１とを有している。
【０２３６】
そして、ドラム側挿入部９９は、図５（ｂ）に示すように、現像カートリッジ１６が本体ケーシング２に装着された状態において、ドラム貯留部５４と接続され、図６に示すように、現像カートリッジ１６が本体ケーシング２から離脱された状態において、ドラム貯留部５４（図５（ｂ）参照）との接続が解除されている。
【０２３７】
そのため、感光ドラム２１に隣接して配置されるドラムクリーナー２３と、カートリッジフレーム２５に備えられる廃トナー収容部３１とを分離できる。その結果、現像カートリッジ１６を、ドラムクリーナー２３とは独立して交換することができる。
【０２３８】
また、ドラム廃トナー受入口１００は、図７（ａ）に示すように、ドラム側挿入部９９とドラム貯留部５４（図５（ｂ）参照）との接続が解除された状態において、パイプ側シャッタ１０１により閉鎖される。
【０２３９】
そのため、ドラム廃トナー受入口１００から廃トナーが漏れ出すことを抑制できる。
（５）また、ベルトユニット３４は、図１に示すように、中間転写ベルト３８と、ベルトクリーナー４０とを備えている。
【０２４０】
ベルトクリーナー４０は、ベルトクリーニングローラ７２および中継ローラ７４を備えるベルト回収部６５と、掻き取りブレード７５が設けられるベルト貯留部６８とを備えている。
【０２４１】
そのため、カラープリンタ１の画像形成動作において、二次転写された後、ベルトクリーニングローラ７２により、中間転写ベルト３８上に残存する廃トナーを中間転写ベルト３８の上から除去できる。ベルトクリーニングローラ７２により除去された廃トナーは、ベルトクリーニングローラ７２から中継ローラ７４を介して、一旦、ベルト貯留部６８内に回収することができる。
【０２４２】
そして、ベルト貯留部６８には、図６に示すように、ベルト廃トナー搬送パイプ７０が接続されているので、ベルト貯留部６８に回収した廃トナーを、ベルト廃トナー搬送パイプ７０を介して、ベルト貯留部６８から廃トナー収容部３１に搬送し、廃トナー収容部３１に収容することができる。
【０２４３】
その結果、現像ローラ２６と感光ドラム２１との相対的な位置決め精度の向上を図ることができながら、中間転写ベルト３８上の表面の廃トナーを回収・収容できる。
（６）また、ベルト廃トナー搬送パイプ７０は、カートリッジ側挿入部７８を有している。カートリッジ側挿入部７８は、ベルト廃トナー排出口７９と、搬送パイプ側シャッタ８３とを有している。
【０２４４】
そして、カートリッジ側挿入部７８は、現像カートリッジ１６が本体ケーシング２に装着された状態において、ブラック現像カートリッジ１６Ｋの廃トナー収容部３１Ｋ（図７（ｂ）参照）と接続され、現像カートリッジ１６が本体ケーシング２から離脱された状態において、廃トナー収容部３１Ｋ（図７（ｂ）参照）との接続が解除されている。
【０２４５】
そのため、中間転写ベルト３８に隣接して配置されるベルトクリーナー４０と、カートリッジフレーム２５に備えられる廃トナー収容部３１とを分離できる。その結果、ブラック現像カートリッジ１６Ｋを、ベルトクリーナー４０とは独立して交換することができる。
【０２４６】
また、ベルト廃トナー排出口７９は、カートリッジ側挿入部７８と廃トナー収容部３１Ｋ（図７（ｂ）参照）との接続が解除された状態において、搬送パイプ側シャッタ８３により閉鎖される。そのため、ベルト廃トナー排出口７９から廃トナーが漏れ出すことを抑制できる。
（７）また、ベルト廃トナー搬送パイプ７０は、図１に示すように、左端部（カートリッジ側挿入部７８の前端部）が、ブラック現像カートリッジ１６Ｋの廃トナー収容部３１Ｋの後端部に接続され、右端部（ベルト側連結部７６の後端部）が、ベルト貯留部６８の後端部に接続されている（図２参照）。
【０２４７】
そのため、本体ケーシング２内において、ドラム廃トナー搬送パイプ９６が、廃トナー収容部３１Ｋに対して前側に配置され、ベルト廃トナー搬送パイプ７０が、廃トナー収容部３１Ｋに対して後側に配置されている。
【０２４８】
そして、ドラムクリーナー２３で回収された廃トナーを前側から、廃トナー収容部３１Ｋに搬送することができるとともに、ベルトクリーナー４０で回収された廃トナーを後側から、廃トナー収容部３１Ｋに搬送することができる。
【０２４９】
その結果、ドラム廃トナー搬送パイプ９６およびベルト廃トナー搬送パイプ７０の効率的な配置を確保することができるとともに、感光ドラム２１の表面から回収した廃トナーと、中間転写ベルト３８上から回収した廃トナーとを、共通の廃トナー収容部３１Ｋに収容することができる。
【０２５０】
従って、ドラム廃トナー搬送パイプ９６およびベルト廃トナー搬送パイプ７０の効率的な配置を確保できながら、廃トナー収容部３１Ｋをコンパクトに収容できる。
【０２５１】
また、ベルト廃トナー搬送パイプ７０が、ベルト貯留部６８に対応する後側の側壁６６に固定されているので、現像カートリッジ１６の本体ケーシング２に対する円滑な着脱を確保できる。
（８）また、カートリッジフレーム２５は、図６に示すように、把持部１２０を備えている。
【０２５２】
そのため、現像カートリッジ１６を本体ケーシング２に対して着脱するときに、把持部１２０を把持できるので、本体ケーシング２に対する現像カートリッジ１６の円滑な着脱動作を確保することができる。
【０２５３】
特に、把持部１２０は、本体ケーシング２に対して移動可能な現像器２４ではなく、本体ケーシング２に固定されるカートリッジフレーム２５に設けられているので、把持部１２０を把持して、現像カートリッジ１６を本体ケーシング２に対して着脱することにより、現像カートリッジ１６の安定した着脱動作を確保できる。
【０２５４】
そのため、現像カートリッジ１６の本体ケーシング２に対する着脱動作時において、感光ドラム２１と、他の部材（例えば、現像ローラ１６など）とが接触することを抑制でき、感光ドラム２１と他の部材（例えば、現像ローラ１６など）との接触に起因する、感光ドラム２１の損傷を未然に防止することができる。
（９）また、感光ドラム２１は、図１に示すように、複数色（ブラック、イエロー、マゼンタ、シアン）に対応して、複数（４つ）設けられ、左右方向に互いに間隔を隔てて並列配置されている。
【０２５５】
また、現像器２４のトナー収容部２９には、各色（ブラック、イエロー、マゼンタ、シアン）に対応するトナーが収容されている。
【０２５６】
そのため、カラープリンタ１では、フルカラーの画像を形成することができる。
（１０）また、内側ケーシング８１の隔壁１１１には、図２に示すように、保持部材２０が設けられている。
【０２５７】
そのため、現像カートリッジ１６がカートリッジ収容空間１１５に装着された状態において、現像カートリッジ１６のカートリッジフレーム２５の下側部分が、保持部材２０内収容されるので、カートリッジフレーム２５を内側ケーシング８１に対して固定できる。
【０２５８】
その結果、カートリッジフレーム２５のばね支持部１０８に設けられるコイルばね１０９と感光ドラム２１との相対的な位置関係を、精度よく維持することができる。
【０２５９】
従って、コイルばね１０９は、現像ローラ２６を感光ドラム２１に向けて、確実に付勢することができ、現像ローラ２６と感光ドラム２１との相対的な位置決め精度のさらなる向上を図ることができる。
（１１）また、保持部材２０は、ばね支持部１０８に対して、コイルばね１０９の反対側に配置されている。
【０２６０】
そのため、コイルばね１０９による付勢力によるカートリッジフレーム２５に対する反作用を、保持部材２０を介して、隔壁１１１が受け止めることができる。
【０２６１】
その結果、カートリッジフレーム２５を確実に隔壁１１１に固定しながら、図３に示すように、コイルばね１０９の付勢力を、現像ローラ２６に確実に作用させることができる。従って、コイルばね１０９は、現像ローラ２６を感光ドラム２１に向けて、確実に付勢でき、現像ローラ２６と感光ドラム２１との相対的な位置決め精度のさらなる向上を図ることができる。
（１２）また、保持部材２０は、カートリッジフレーム２５を下側から支えるように配置されている。そのため、コイルばね１０９の付勢力が、現像ローラ２６に確実に作用するので、現像ローラ２６を感光ドラム２１に向けて確実に付勢することができる。
【０２６２】
また、保持部材２０は、現像カートリッジ１６の本体ケーシング２に対する着脱をガイドしている。
【０２６３】
そのため、現像カートリッジ１６の円滑な着脱動作を確保できるので、現像ローラ２６や現像器２４が、感光ドラム２１に接触することを抑制できる。その結果、感光ドラム２１の損傷を抑制できる。
（１３）また、図１に示すように、ベルトユニット３４および感光ドラム２１の下側に、複数（４つ）の現像カートリッジ１６が配置されている。これにより、ドラムクリーナー２３およびベルトクリーナー４０が、廃トナー収容部３１よりも上方に配置されている。
【０２６４】
そのため、ベルト廃トナー搬送パイプ７０およびドラム廃トナー搬送パイプ９６により、廃トナーを廃トナー収容部３１に向けて搬送する場合、重力を利用できる。その結果、廃トナーを安定して、廃トナー収容部３１に搬送することができる。
【符号の説明】
【０２６５】
１  カラープリンタ
２  本体ケーシング
１６現像カートリッジ
２０保持部材
２１感光ドラム
２３ドラムクリーナー
２４現像器
２５カートリッジフレーム
２６現像ローラ
２９トナー収容部
３１廃トナー収容部
３２現像器収容部
３８中間転写ベルト
４０ベルトクリーナー
５４ドラム貯留部
５５ドラム掻き取りブレード
６５ベルト回収部
６８ベルト貯留部
７０ベルト廃トナー搬送パイプ
７８カートリッジ側挿入部
７９ベルト廃トナー排出口
８３搬送パイプ側シャッタ
９６ドラム廃トナー搬送パイプ
９９ドラム挿入部
１００   ドラム廃トナー受入口
１０１   パイプ側シャッタ
１０９   コイルばね
【図１】
0005853680.tif 000002
【図２】
0005853680.tif 000003
【図３】
0005853680.tif 000004
【図４】
0005853680.tif 000005
【図５】
0005853680.tif 000006
【図６】
0005853680.tif 000007
【図７】
0005853680.tif 000008
【図８】
0005853680.tif 000009